(57)【要約】【課題】  構築・変更が容易な光電複合通信システムを提供する。【解決手段】  電源線および光ファイバを略同軸に設けた光電複合接続ケーブル６００のケーブル部の両端に設けた光電複合プラグ部に、電源線に通電可能な一対の電源端子と、光ファイバに接続する光プラグを設ける。広帯域分岐カプラなどにて光信号を他の光コネクタに分岐する光電複合分岐装置４００および光電複合コンセント５００、外部通信信号を光信号に変換するインターフェース装置３００、商用交流電源を受給するとともに光信号を電気多重化あるいは電気信号を光信号に変換する光電複合変換装置２３０に、光電複合接続ケーブル６００の電源端子が接続する電源端子受け金具および光プラグが接続する光コネクタを設け、それぞれ光電複合接続ケーブル６００にて接続可能とし、枝分かれ状に光電複合通信システム１００を構築する。【選択図】 図１
2005085568.tif 000002
【特許請求の範囲】
【請求項１】
電源端子および光信号が入力可能な光端子を備えた光電複合プラグ部、前記光電複合プラグ部の電源端子間を通電可能に接続する一対の電源線および前記光電複合プラグ部の光端子間に光を伝送するための光ファイバを備えた光電複合接続ケーブルと、
前記光電複合プラグが電気的かつ光的に接続される複数の光電複合コネクタ、および、いずれか１つの光電複合コネクタに入力された電源および光信号を他の光電複合コネクタに分岐する電源および光信号の分岐部を備えた光電複合分岐装置と、
前記光電複合プラグに電気的かつ光的に接続される複数の光電複合コネクタ、電源が供給される電源線接続ターミナル、電気信号が入出力可能な電気信号入出力端子、および、前記光電複合コネクタに入力された光信号を電気信号に変換して前記電気信号入出力端子へ出力するとともに前記電気信号入出力端子に入力された信号を光信号に変換して前記光電複合コネクタへ出力する光電変換部を備え、電源線と光信号とを複合して光電複合コネクタに接続する機能を有した光電複合変換装置と、を具備し、
前記光電複合変換装置の前記電気信号入出力端子が互いに電気的に接続され、これら光電複合変換装置および前記光電複合分岐装置が前記光電複合接続ケーブルにより相互に接続された
ことを特徴とした光電複合通信システム。
【請求項２】
請求項１に記載の光電複合通信システムであって、
前記光電複合分岐装置は、前記光電複合接続ケーブルが着脱可能に接続された
ことを特徴とした光電複合通信システム。
【請求項３】
請求項１または請求項２に記載の光電複合通信システムであって、
任意の外部通信信号を所定の光信号に変換するインターフェース装置を具備し、
前記光電複合接続ケーブルにより、前記インターフェース装置と前記光電複合変換装置および前記光電複合分岐装置とが相互に接続可能に構成された
ことを特徴とした光電複合通信システム。
【請求項４】
請求項３に記載の光電複合通信システムであって、
前記インターフェース装置は、外部より入力される外部通信信号を電気信号に変換するとともに電気信号を外部信号に変換する機能と、外部通信信号を光信号に変換して前記光電複合コネクタに出力するとともに前記光電複合コネクタに入力される光信号を外部信号に変換して任意の外部通信手段と相互通信する機能と、を備えた
ことを特徴とした光電複合通信システム。
【請求項５】
請求項３または請求項４に記載の光電複合通信システムであって、
前記インターフェース装置の光電変換部は、前記光電複合変換装置の光電変換部と同一である
ことを特徴とした光電複合通信システム。
【請求項６】
請求項１、請求項２、請求項４および請求項５のいずれかに記載の光電複合通信システムであって、
前記光電変換部は、電気信号として入力される通信信号を、前記光電複合コネクタから入力される光信号とは異なる波長の光信号として出力する
ことを特徴とした光電複合通信システム。
【請求項７】
請求項１ないし請求項６のいずれかに記載の光電複合通信システムであって、
前記光電複合コネクタは、商用交流電源が供給される電源コンセントに接続可能な互換形状に構成された
ことを特徴とした光電複合通信システム。
【請求項８】
請求項７に記載の光電複合通信システムであって、
前記光電複合接続ケーブルの光電複合プラグ部は、対をなす電源端子の中間に位置して前記光端子が配設され、
前記光電複合変換装置および前記光電複合分岐装置の光電複合コネクタは、対をなす電源端子の中間に位置して光信号の受け部が配設された
ことを特徴とした光電複合通信システム。
【請求項９】
請求項１ないし請求項８のいずれかに記載の光電複合通信システムであって、
前記複数の光電複合変換装置は、漏洩遮断器を介して電源線接続ターミナルに電力が供給される
ことを特徴とした光電複合通信システム。
【請求項１０】
請求項９に記載の光電複合通信システムであって、
前記複数の光電複合変換装置は、漏洩遮断器とともに一体的に容器内に収容された
ことを特徴とした光電複合通信システム。
【請求項１１】
請求項１ないし請求項１０のいずれかに記載の光電複合通信システムであって、
前記光電複合接続ケーブルを介した接続状態、または電力を供給する電気機器の接続状態を検出する接続状態検出手段を具備した
ことを特徴とした光電複合通信システム。
【請求項１２】
請求項１１に記載の光電複合通信システムであって、
前記接続状態検出手段は、接続状態として接続されていないことを認識すると前記光電複合変換装置の電源線接続ターミナルへの電力の供給を通電・遮断する電力通電・遮断手段を備えた
ことを特徴とした光電複合通信システム。
【請求項１３】
請求項１２に記載の光電複合通信システムであって、
前記電力通電・遮断手段は、前記光電複合変換装置への受信に基づき、所定の時間内に前記光信号が受信された場合に通電し、所定の時間内に前記光信号が受信されない場合に電力を遮断する
ことを特徴とした光電複合通信システム。
【請求項１４】
請求項１１ないし請求項１３のいずれかに記載の光電複合通信システムであって、
前記接続状態検出手段は、前記光電複合接続ケーブルの光電複合プラグ部の電源端子が設けられた面に一対設けられた接続端子と、前記光電複合変換装置および前記光電複合分岐装置の光電複合コネクタが設けられた面に設けられ前記接続端子が着脱可能に電気的に接続する一対の端子受け部と、前記光電複合変換装置に設けられ前記端子受け部間に電圧を印加する検出電圧印加部と、前記光電複合変換装置の端子受け部間の電圧値に基づいて前記電源線接続ターミナルへの電力供給を遮断する遮断手段と、を具備した
ことを特徴とした光電複合通信システム。
【請求項１５】
請求項１４に記載の光電複合通信システムであって、
前記検出電圧印加部は、前記光電複合変換装置に供給される電力を用いる
ことを特徴とした光電複合通信システム。
【請求項１６】
電源線が接続され電力を供給するとともに光信号を受信して送信する光電複合変換装置を備え、少なくとも電気信号を光信号に変換して出力するインターフェース装置および電気機器が前記電力を受給可能で前記光信号を送受信可能に接続される光電複合分岐装置が、前記光電複合変換装置に電力を供給させる電源線および光信号を伝送可能な光ファイバを略同軸上に設けた光電複合接続ケーブルにより接続される光電複合通信システムであって、
前記光電複合変換装置、前記インターフェース装置および前記光電複合分岐装置の前記光電複合接続ケーブルによる接続状態を検出し、接続されていないことを認識すると前記光電複合変換装置に接続される電源線の接続状態を開成する接続状態検出手段を備えた
ことを特徴とした光電複合通信システム。
【請求項１７】
請求項１ないし請求項１６のいずれかに記載の光電複合通信システムに用いられる
ことを特徴とした光電複合接続ケーブル。
【請求項１８】
請求項１ないし請求項１６のいずれかに記載の光電複合通信システムに用いられる
ことを特徴とした光電複合分岐装置。
【請求項１９】
請求項１ないし請求項１６のいずれかに記載の光電複合通信システムに用いられる
ことを特徴とした光電複合変換装置。
【発明の詳細な説明】
【技術分野】
【０００１】
本発明は、電力を供給しつつ信号の送受信が可能な光電複合通信システム、その光電複合接続ケーブル、その光電複合分岐装置、および、その光電複合変換装置に関する。
【背景技術】
【０００２】
従来、例えばホームネットワークシステムなどとして、光ファイバなどの信号線を家屋内に配線し、各部屋に配設した端末装置により信号を送受信させるシステムが知られている。このシステムは、信号線にテレビなどの放送受信器やパーソナルコンピュータなどの端末装置を接続し、端末装置で映像出力させたり、インターネットを利用したり、ＬＡＮ（Local Area Network）にて信号を送受信させたりするなどを可能としている（例えば、非特許文献１、特許文献１および特許文献２）。
また、電力を供給するための電源線を配線する作業を考慮し、電源線と信号線とを一体化して複合ケーブルとして屋内に配線し、商用交流電力を供給するための端子とともに、信号線に接続され信号を送受信する端子を一体的に設けた複合コンセントを用い、電力や信号を各部屋の端末装置にて取得する構成も知られている（例えば、特許文献３および特許文献４参照）。
【０００３】
非特許文献１に記載のものは、各種アンテナにて受信した放送信号や電話回線を、配信盤に集約させて分配するスター型のシステムである。配信盤には、各種アンテナが接続されるとともに電話線が接続され、放送信号や電話回線を集約する。そして、この配信盤から放射状に各部屋に信号線を配線し、この信号線の末端に各種端末装置が信号を取得可能に接続するための各種ソケットを複数有した複合コンセントを接続している。
【０００４】
特許文献１に記載のものは、屋外からの光ファイバなどから分岐された光引き落とし線を屋内に引き込み、適宜光分岐カプラを用いて適宜分岐させ、屋内に配管したチューブ内に分岐した複数の光ファイバを配線し、適宜各部屋に引き込む。この引き込んだ光ファイバから信号を端末装置により取得したり、光ファイバに光カプラを設けて分岐された信号を端末装置により取得したりして、端末装置で適宜信号処理可能とする構成が採られている。
【０００５】
特許文献２に記載のものは、各種アンテナから取得した放送信号を伝送する光ファイバなどの信号線と、商用交流電源とを混合器に集約させる。そして、この混合器から電源ケーブルおよび信号線を一体的に設けた光電複合ケーブルを屋内に配設し、光電複合ケーブルに光分岐器を備えた光電複合分岐器を適宜設けて各部屋に分配し、末端に電源ケーブルに接続する端子および信号線に接続する端子を有する複合コンセントを設け、電力や信号を取得可能としている。
【０００６】
特許文献３および特許文献４に記載のものは、光ファイバおよび電源線を一体的に設けた複合ケーブルの一端に、光ファイバの端部に接続する光フェルールと、電源線の端部に接続する電源端子とを有したプラグを設ける。そして、屋内などに配設され電源線の端部が接続されるコンセントの端子に電源端子と、配設された光ファイバの端部が接続する光フェルールとを備えた複合コンセントにプラグを着脱可能に取り付けることで、信号や電力を取得可能としている。
【０００７】
【非特許文献１】http://www.mew.co.jp/press/0206/0206-2.htm（２００３年５月２０日）
【特許文献１】特開平５−３４６５１１号公報（第４頁右欄−第８頁左欄、図１〜図４）
【特許文献２】特開平９−２２４２４１号公報（第３頁、図１〜図４）
【特許文献３】特開平７−１３０４３号公報（第３頁左欄−第４頁右欄、図１）
【特許文献４】特開２００２−２１６８８３号公報（第２頁右欄−第４頁右欄、図１、図２）
【発明の開示】
【発明が解決しようとする課題】
【０００８】
ところで、非特許文献１や特許文献１に記載のように、国内でのネットワーク構築が進むにつれて屋内に電源線を配線する他に信号線を別途配線することは配線作業が煩雑となる。このことから、特許文献３や特許文献４に記載のような複合ケーブルなどを用い、特許文献２に記載のように、電源線と信号線とを一体的に配線することも考えられる。
【０００９】
しかしながら、特許文献２に記載のように電源線と信号線とを光電複合ケーブルにて一体的に配線し、光電複合ケーブルに光電複合分岐器を設けて複数の部屋に光電複合ケーブルを分岐させて末端に光電複合コンセントを設け、各部屋で電力および信号を取得可能とする構成としても、新たに分岐させたり光電複合コンセントを設けることが困難である。すなわち、例えば配線されていない部屋や１つの部屋でもさらに複数の光電複合コンセントを設けたい場合など、家屋の構造体内に配設した光電複合ケーブルを露出させ、この露出させた光電複合ケーブルに新たに光電複合分岐器を設けて光電複合ケーブルを分岐させ、光電複合コンセントを設けて光電複合ケーブルを再び家屋の構造体内に埋設させるなどの作業が必要となり、極めて煩雑な作業が要求される。
特に、電源線と信号線とが一体化した光電複合ケーブルに、新たに光電複合分岐器を設けるためには電力を分岐させる技術および知識の他、信号線を分岐させる技術および知識が必要となり、分岐作業が困難であるなどの問題がある。
【００１０】
本発明の目的は、構築・変更が容易な光電複合通信システム、その光電複合接続ケーブル、その光電複合分岐装置、および、その光電複合変換装置を提供することである。
【課題を解決するための手段】
【００１１】
本発明の光電複合通信システムは、電源端子および光信号が入力可能な光端子を備えた光電複合プラグ部、前記光電複合プラグ部の電源端子間を通電可能に接続する一対の電源線および前記光電複合プラグ部の光端子間に光を伝送するための光ファイバを備えた光電複合接続ケーブルと、前記光電複合プラグが電気的かつ光的に接続される複数の光電複合コネクタ、および、いずれか１つの光電複合コネクタに入力された電源および光信号を他の光電複合コネクタに分岐する電源および光信号の分岐部を備えた光電複合分岐装置と、前記光電複合プラグに電気的かつ光的に接続される複数の光電複合コネクタ、電源が供給される電源線接続ターミナル、電気信号が入出力可能な電気信号入出力端子、および、前記光電複合コネクタに入力された光信号を電気信号に変換して前記電気信号入出力端子へ出力するとともに前記電気信号入出力端子に入力された信号を光信号に変換して前記光電複合コネクタへ出力する光電変換部を備え、電源線と光信号とを複合して光電複合コネクタに接続する機能を有した光電複合変換装置と、を具備し、前記光電複合変換装置の前記電気信号入出力端子が互いに電気的に接続され、これら光電複合変換装置および前記光電複合分岐装置が前記光電複合接続ケーブルにより相互に接続されたことを特徴とする。
【００１２】
この発明では、一対の電源線および光ファイバを設けた光電複合接続ケーブルに設けた光電複合プラグ部に、電源線に通電可能に接続された電源端子および光ファイバに光信号が伝送可能に接続された光端子を設ける。そして、分岐部にて電源および光信号を他の光電複合コネクタに分岐する光電複合分岐装置、および、電源が供給され光信号を電気信号に変換および電気信号を光信号に変換する光電複合変換装置に、光電複合接続ケーブルの光電複合プラグ部が電気的かつ光的に接続される光電複合コネクタを設け、光電複合接続ケーブルにより光電複合分岐装置および光電複合変換装置を相互に接続する。
この接続により、光電複合変換装置から光電複合接続ケーブルを介して光電複合分岐装置に電力が供給可能となるとともに、相互間で光信号の送受信が得られるネットワークが容易に構築される。そして、各接続が同一構成であることから、光電複合接続ケーブルおよび光電複合分岐装置にて分岐増設や縮小化が光電複合接続ケーブルの着脱にて容易に得られ、電源を供給しつつ信号が送受信可能な所望の構成のネットワークが容易に構築される。
【００１３】
そして、本発明では、前記光電複合分岐装置は、前記光電複合接続ケーブルが着脱可能に接続された構成とすることが好ましい。
この発明では、光電複合分岐装置に光電複合接続ケーブルの接続状態を着脱可能な構成とする。このことにより、光電複合変換装置および光電複合分岐装置の光電複合接続ケーブルによる相互の接続および分岐が容易に得られる。
【００１４】
また、本発明では、任意の外部通信信号を所定の光信号に変換するインターフェース装置を具備し、前記光電複合接続ケーブルにより、前記インターフェース装置と前記光電複合変換装置および前記光電複合分岐装置とが相互に接続可能に構成された構成とすることが好ましい。
この発明では、光電複合接続ケーブルにより、任意の我部通信信号を所定の光信号に変換するインターフェース装置と光電復号変換装置および光電複合分岐装置とを互いに接続する。このことにより、例えばアンテナにて取得する放送信号の電気信号、ケーブルテレビジョンから取得する電気信号、電話回線網に対応する電話信号の電気信号およびインターネットやＬＡＮ（Local Area Network）などのネットワークに対応するネットワーク信号の電気信号など、電力を供給するとともに受信可能とするネットワーク構成として、各種信号を確実に受信させることが容易に得られる。
【００１５】
さらに、本発明では、前記インターフェース装置は、外部より入力される外部通信信号を電気信号に変換するとともに電気信号を外部信号に変換する機能と、外部通信信号を光信号に変換して前記光電複合コネクタに出力するとともに前記光電複合コネクタに入力される光信号を外部信号に変換して任意の外部通信手段と相互通信する機能と、を備えた構成とすることが好ましい。
この発明では、インターフェース装置として、外部より入力される外部通信信号を電気信号に変換するとともに電気信号を外部信号に変換する機能と、外部通信信号を光信号に変換して光電複合コネクタに出力するとともに光電複合コネクタに入力される光信号を外部信号に変換して任意の外部通信手段と相互通信する機能とを設ける。このことにより、各種外部通信信号の確実な送受信を可能とするネットワーク構成が簡単な構成で容易に得られ、汎用性の向上が容易となる。
【００１６】
そして、本発明では、前記インターフェース装置の光電変換部は、前記光電複合変換装置の光電変換部と同一である構成とすることが好ましい。
この発明では、インターフェース装置の光電変換部として光電複合変換装置の光電変換部と同一の構成とする。このことにより、共用が図れ、製造性の向上やコストの低減が容易に図れるとともに、光電複合変換装置にてインターフェース装置を代用させることも可能となり、ネットワーク構成の構築自由度が向上する。
【００１７】
さらに、本発明では、前記光電変換部は、電気信号として入力される通信信号を、前記光電複合コネクタから入力される光信号とは異なる波長の光信号として出力する構成とすることが好ましい。
この発明では、光電変換部により、電気信号として入力される通信信号を、光電複合コネクタから入力される光信号とは異なる波長の光信号として出力させる。このことにより、入力する通信信号と入力される光信号との間で電気信号や光信号が影響し合って誤送受信が生じることが容易に防止される。
【００１８】
また、本発明では、前記光電複合コネクタは、商用交流電源が供給される電源コンセントに接続可能な互換形状に構成された構成とすることが好ましい。
この発明では、光電複合コネクタとして、商用交流電源が供給される電源コンセントに接続可能な互換形状とする。このことにより、例えば電気機器の電源コードを接続して単に電力供給させることも可能となり、汎用性が向上する。
【００１９】
さらに、本発明では、前記光電複合接続ケーブルの光電複合プラグは、対をなす電源端子の中間に位置して前記光端子が配設され、前記光電複合変換装置および前記光電複合分岐装置の光電複合コネクタは、対をなす電源端子の中間に位置して光信号の受け部が配設された構成とすることが好ましい。
この発明では、光電複合接続ケーブルの光電複合プラグとして、対をなす電源端子の中間に位置して光端子を配設し、光電複合変換装置および光電複合分岐装置の光電複合コネクタとして、対をなす電源端子の中間に位置して光端子の受け部を配設している。このことにより、光端子および光端子の受け部が電源端子に囲まれる状態となり、簡単な構成で保護される状態が得られ、構成の簡略化が容易に図れる。
【００２０】
そして、本発明では、前記複数の光電複合変換装置は、漏洩遮断器を介して電源線接続ターミナルに電力が供給される構成とすることが好ましい。
この発明では、光電複合変換装置の電源線接続ターミナルに、漏洩遮断器を介して電力を供給させる。このことにより、例えば光電複合接続ケーブルを介して光電複合分岐装置およびインターフェース装置を接続する状態が不良であったり、光電複合変換装置、光電複合分岐装置およびインターフェース装置が損傷したり、接続する電気機器が損傷するなどにより、電力の漏洩や短絡などが生じるような場合では漏洩遮断器にて電力供給が遮断されるので、良好な電力供給が容易に得られる。
【００２１】
さらに、本発明では、前記複数の光電複合変換装置は、漏洩遮断器とともに一体的に容器内に収容された構成とすることが好ましい。
この発明では、複数の光電複合変換装置を漏洩遮断器とともに一体的に容器内に収容する。このことにより、例えばインターフェース装置や電気機器からの電気信号が変換された光信号を集約し、光電複合分岐装置にて適宜分岐・多重しつつ、電源を供給するとともに送受信させる構成が一体的となり、ネットワーク構築が容易となる。
【００２２】
また、本発明では、前記光電複合接続ケーブルを介した接続状態、または電力を供給する電気機器の接続状態を検出する接続状態検出手段を具備した構成とすることが好ましい。
この発明では、光電複合接続ケーブルによる例えば光電複合変換装置、光電複合分岐装置あるいはインターフェース装置の接続状態や、電力を供給する電気機器の接続状態を検出する接続状態検出手段を設ける。このことにより、電力を供給しつつ送受信可能とするネットワークの確実な構築が得られる。
【００２３】
さらに、本発明では、前記接続状態検出手段は、接続状態として接続されていないことを認識すると前記光電複合変換装置の電源線接続ターミナルへの電力の供給を通電・遮断する電力通電・遮断手段を備えた構成とすることが好ましい。
この発明では、接続状態として接続されていないことを認識すると、電源線接続ターミナルへの電力の供給を遮断する遮断手段を接続状態検出手段に設ける。このことにより、例えばリレー回路などの簡単な構成を設けることで、確実に接続不良などの防止や電力を供給する電気機器の非接続状態における不要な電力供給などが防止される。
【００２４】
そして、本発明では、前記電力通電・遮断手段は、前記光電複合変換装置への受信に基づき、所定の時間内に前記光信号が受信された場合に通電し、所定の時間内に前記光信号が受信されない場合に電力を遮断する構成とすることが好ましい。
この発明では、電力通電・遮断手段は、光電複合変換装置への受信に基づき、所定の時間内に光信号を受信する場合は通電し、所定の時間内に光信号を受信できない場合に電力を遮断させる。このことにより、確実に電源を供給しつつ信号を送受信するネットワークの構築が得られる。
【００２５】
また、本発明では、前記接続状態検出手段は、前記光電複合接続ケーブルの光電複合プラグ部の電源端子が設けられた面に一対設けられた接続端子と、前記光電複合変換装置および前記光電複合分岐装置の光電複合コネクタが設けられた面に設けられ前記接続端子が着脱可能に電気的に接続する一対の端子受け部と、前記光電複合変換装置に設けられ前記端子受け部間に電圧を印加する検出電圧印加部と、前記光電複合変換装置の端子受け部間の電圧値に基づいて前記電源線接続ターミナルへの電力供給を遮断する遮断手段と、を具備した構成とすることが好ましい。
この発明では、光電複合接続ケーブルの光電複合プラグ部の電源端子が設けられた面に一対設けた接続端子が、光電複合変換装置および光電複合分岐装置の各光電複合コネクタが設けられた面の一対の端子受け部に着脱可能に電気的に接続することで、光電複合変換装置に設けた検出電圧印加部により光電複合変換装置の端子受け部間に電圧を印加させ、遮断手段により端子受け部間の電圧値に基づいて電源線接続ターミナルへの電力供給を遮断させる。このことにより、簡単な構成で確実な接続不良の防止や電力を供給する電気機器の非接続状態における不要な電力供給の防止などが容易に得られる。
【００２６】
さらに、本発明では、前記検出電圧印加部は、前記光電複合変換装置に供給される電力を用いる構成とすることが好ましい。
この発明では、検出電圧印加部による電圧の印加として、光電複合変換装置に供給する電力を用いる。このことにより、別途電源を設ける必要がなく、接続不良や非接続状態時の不要な電力供給の防止などが簡単な構成で容易に得られる。
【００２７】
また、本発明の光電複合通信システムは、電源線が接続され電力を供給するとともに光信号を受信して送信する光電複合変換装置を備え、少なくとも電気信号を光信号に変換して出力するインターフェース装置および電気機器が前記電力を受給可能で前記光信号を送受信可能に接続される光電複合分岐装置が、前記光電複合変換装置に電力を供給させる電源線および光信号を伝送可能な光ファイバを略同軸上に設けた光電複合接続ケーブルにより接続される光電複合通信システムであって、前記光電複合変換装置、前記インターフェース装置および前記光電複合分岐装置の前記光電複合接続ケーブルによる接続状態を検出し、接続されていないことを認識すると前記光電複合変換装置に接続される電源線の接続状態を開成する接続状態検出手段を備えたことを特徴とする。
この発明では、電源線が接続され電力を供給するとともに光信号を受信して送信する光電複合変換装置、少なくとも電気信号を光信号に変換して出力するインターフェース装置、および、電気機器が電力受給可能で光信号を送受信可能に接続される光電複合分岐装置が、電源線および光ファイバを略同軸上に設けた光電複合接続ケーブルにより接続される接続状態を、接続状態検出手段により検出する。そして、接続状態検出手段は接続されていないことを認識すると光電複合変換装置に接続される電源線の接続状態を開成させる。このことにより、供給する電力の漏洩や短絡などを確実に防止するとともに、光信号による確実な送受信が得られ、電力を供給するとともに信号を送受信可能な良好なネットワーク構築が得られる。
【００２８】
本発明の光電複合接続ケーブルは、請求項１ないし請求項１６のいずれかに記載の光電複合通信システムに用いられることを特徴とする。
【００２９】
この発明では、請求項１ないし請求項１６のいずれかに記載の光電複合通信システムに用いられるものである。このことにより、動作の異なる光電複合変換装置および光電複合分岐装置さらにはインターフェース装置を、１種類で相互に接続して電力を供給するとともに信号を送受信可能なネットワーク構造の光電複合通信システムの構築が簡単な構成で容易に得られる。
【００３０】
本発明の光電複合分岐装置は、請求項１ないし請求項１６のいずれかに記載の光電複合通信システムに用いられることを特徴とする。
【００３１】
この発明では、請求項１ないし請求項１６のいずれかに記載の光電複合通信システムに用いるものである。このことにより、光電複合変換装置からの電力の供給および光信号の送受信可能な接続状態が光電複合変換装置から枝分かれ状のネットワーク構造で光電複合通信システムが構築され、光電複合通信システムの構築が容易となるとともに、増設や縮小化などの光電複合通信システムの構造変更も容易となる。
【００３２】
本発明の光電複合変換装置は、請求項１ないし請求項１６のいずれかに記載の光電複合通信システムに用いられることを特徴とする。
【００３３】
この発明では、請求項１ないし請求項１６のいずれかに記載の光電複合通信システムに用いられるものである。このことにより、電力を供給するとともに、例えば外部から入力される電気信号および外部と送受信される電気信号が集約されて誤送受信などがなく異なる信号でも適切な通信状態が得られる光電複合通信システムの構築が容易に得られる。
【発明を実施するための最良の形態】
【００３４】
〔第１の実施の形態〕
以下、本発明の第１の実施の形態における光電複合通信システムを図面に基づいて説明する。なお、本実施の形態において、家屋に構築する構成について説明するが、例えば集合住宅や都市などの地域における光電複合供給するシステム構成などにも適用できる。
図１は、本発明の光電複合通信システムにおける第１の実施の形態に係る概略構成を示す模式図である。図２は、本実施の形態における光電複合通信システムを構成する情報分電装置の光電複合変換装置についての概略構成を示す模式図である。図３は、本実施の形態における光電複合変換装置を示す側面図である。図４は、本実施の形態における光電複合通信システムを構成する光電複合分岐装置についての概略構成を示す模式図である。図５は、本実施の形態における光電複合分岐装置を示す側面図である。図６は、本実施の形態における光電複合通信システムを構成する光電複合コンセントについての概略構成を示す模式図である。図７は、本実施の形態における光電複合コンセントを示す正面図である。図８は、本実施の形態における光電複合通信システムを構成する光電複合接続ケーブルについての概略構成を示す模式図である。図９は、本実施の形態における変換プラグを示す正面図である。
【００３５】
（光電複合通信システムの構成）
図１において、１００は光電複合通信システムで、この光電複合通信システム１００は、例えば商用交流電源を配電するとともに、各種信号を送受信可能に伝送するシステムである。この光電複合通信システム１００は、情報分電装置２００と、各種インターフェース装置３００と、光電複合分岐装置４００と、光電複合分岐装置としての光電複合コンセント５００と、光電複合接続ケーブル６００と、を備えている。
【００３６】
情報分電装置２００は、各種インターフェース装置３００や光電複合コンセント５００などからの光信号を集約し、商用交流電源とともに配信する。この情報分電装置２００は、家屋１０１の所定の位置に設けられ、容器である情報分電容器２０１と、漏洩遮断器としての主ブレーカ２１０と、漏洩遮断器としての複数の副ブレーカ２２０と、複数の光電複合変換装置２３０と、を備えている。
情報分電容器２０１は、例えば絶縁性の合成樹脂などにて前面が開閉可能に箱形状に形成され、家屋１０１の例えば商用交流電源線２０２が屋外から引き込まれる位置などに配設される。
主ブレーカ２１０は、情報分電容器２０１内に配設され、屋外から引き込まれた商用交流電源線２０２が接続される。この主ブレーカ２１０、規定値以上の電流が流れると、電流を遮断する。この主ブレーカ２１０には、規定値が主ブレーカ２１０より小さい電流値に設定され規定値以上の電流が流れると電流を遮断する複数の副ブレーカ２２０が電源線２１２にて並列に接続されている。そして、副ブレーカ２２０には、それぞれ光電複合変換装置２３０が接続されている。これら光電複合変換装置２３０は、それぞれ電気信号線２４０にてバス接続されて電気信号を送受信可能となっている。
【００３７】
光電複合変換装置２３０は、例えば図２に示すように、ケース体２３１を有している。このケース体２３１は、例えば絶縁性の合成樹脂などにより略矩形性状に形成されている。そして、ケース体２３１の一外面には、一対の電源線接続ターミナル２３２が設けられている。この電源線接続ターミナル２３２は、例えばケース体２３１の外面に一連に突設された台座２３２Ａに、導電性のねじ２３２Ｂが螺合する図示しない雌ねじを有した導電性の金属板が設けられ、主ブレーカ２１０あるいは副ブレーカ２２０からの電源線２２１が接続可能となっている。
さらに、ケース体２３１には、電源線接続ターミナル２３２が設けられた面に、電気信号入出力端子２３５が設けられている。この電気信号入出力端子２３５は、他の光電複合変換装置２３０の電気信号入出力端子２３５に電気信号線２４０にてバス接続され、他の光電複合変換装置２３０と電気信号が入出力可能となっている。
【００３８】
また、光電複合変換装置２３０のケース体２３１の他の一外面には、例えば図３に示すように、一般的に利用されている電源コンセントと互換形状すなわち同形状に形成された所定の間隔の一対の電源端子挿入口２３３が開口形成されている。そして、ケース体２３１内には、電源端子挿入口２３３に臨んで電源端子受け部としての導電性の一対の電源端子受け金具２３４が配設されている。これら電源端子受け金具２３４は、電源線接続ターミナル２３２と例えば電源線２３２Ｃにて通電可能にそれぞれ接続されている。
さらに、ケース体２３１には、電源端子挿入口２３３が開口する面に、一対の電源端子挿入口２３３間に位置して光信号の受け部としての光コネクタ２３６が配設されている。この光コネクタ２３６は、一端に光ファイバ２３６Ａが接続される略円筒状の光フェルール２３６Ｂを有している。これら電源端子挿入口２３３に臨む電源端子受け金具２３４と光コネクタ２３６とにて、本発明の光電複合コネクタが構成される。
【００３９】
さらに、光電複合変換装置２３０のケース体２３１内には、通信制御回路部２３７と、光電変換部２３８と、波長分割多重（Wavelength Division Multiplex：ＷＤＭ）カプラ２３９と、が配設されている。
通信制御回路部２３７は、例えばコンバータなどを備え、電源線２３２Ｃから供給される商用交流電源を順変換により制御用の低電圧の直流電力を取得する。なお、通信制御回路部２３７は、電源線２３２Ｃからの商用交流電源から電力を取得する構成に限らず、例えば蓄電池などから電力を取得する構成としたり、別途外部から引き込まれる別の電源線から電力を取得する構成とするなどしてもよい。この通信制御回路部２３７は、電気信号入出力端子２３５および光電変換部２３８に接続され、電気信号入出力端子２３５から電気信号を取得して多重化状況に対応して処理し光電変換部２３８へ出力するとともに、光電変換部２３８から入力される電気信号を多重化された電気信号として電気信号入出力端子２３５へ出力する。
光電変換部２３８は、通信制御回路部２３７およびＷＤＭカプラ２３９に接続され、通信制御回路部２３７から出力される電気信号を光信号に変換するＥ／Ｏ変換部２３８Ａと、ＷＤＭカプラ２３９から出力される光信号を電気信号に変換するＯ／Ｅ変換部２３８Ｂとを備えている。
ＷＤＭカプラ２３９は、光電変換部２３８および光コネクタ２３６に光ファイバ２３６Ａを介してそれぞれ接続され、波長多重により、光ファイバ２３６Ａを介して光電変換部２３８のＥ／Ｏ変換部２３８Ａから入力される光信号を光ファイバ２３６Ａを介して光コネクタ２３６へ出力するとともに、光ファイバ２３６Ａを介して光コネクタ２３６から入力される光信号を光ファイバ２３６Ａを介してＯ／Ｅ変換部２３８Ｂへ出力し、双方向通信可能となっている。
【００４０】
各種インターフェース装置３００は、外部通信信号である各種信号を光信号に変換するインターフェースである。これらインターフェース装置３００としては、例えば図１に示すように、放送信号インターフェース装置３１０と、ＣＡＴＶインターフェース装置３２０と、電話インターフェース装置３３０と、ＮＷインターフェース装置３４０と、などにて構成される。これらインターフェース装置３００は、光電複合変換装置２３０と同様に構成されている。
【００４１】
すなわち、放送信号インターフェース装置３１０は、各種アンテナ３１１にて受信し変換した外部通信信号としての各種放送信号を光信号に変換して出力する。放送信号としては、例えば超短波のＶＨＦ（Very High Frequency）を変換したＶＨＦ信号や極超短波のＵＨＦ（Ultrahigh Frequency）を変換したＵＨＦ信号、放送衛星からの信号を変換したいわゆるＢＳ（Broadcasting Satellite）信号などである。この放送信号インターフェース装置３１０は、光電複合変換装置２３０と同様に図示しない絶縁性のケース体を有している。このケース体には、一面に光コネクタ２３６が間に位置する状態に電源端子受け金具２３４がそれぞれ臨む一対の電源端子挿入口２３３が開口形成されている。さらに、ケース体には、電源端子挿入口２３３が開口する一面には、光コネクタ２３６が配設されている。これら電源端子挿入口２３３に臨む電源端子受け金具２３４と光コネクタ２３６とにて、本発明の光電複合コネクタが構成される。また、ケース体の例えば一面と反対側の面には、各種アンテナ３１１に接続されたアンテナ線３１２がそれぞれ接続可能に複数設けられ、各アンテナ３１１から出力される放送信号がそれぞれ入力される図示しない放送信号入力端子が設けられている。
さらに、ケース体内には、放送信号変換部が配設されている。この放送信号変換部は、放送信号入力端子および光コネクタ２３６にそれぞれ接続され、入力される電気信号である放送信号をそれぞれ所定の波長の光信号に変換して光コネクタ２３６の光フェルールへ出力する。なお、変換された光信号には、各放送信号毎で異なる光信号である旨のアドレス情報などのヘッダ情報が放送信号変換部にて付加される。そして、この放送信号変換部は、電源端子受け金具２３４に接続されて光電複合変換装置２３０の通信制御回路部２３７と同様に制御用の低電圧の直流電力を取得可能となっている。
なお、放送信号インターフェース装置３１０は、アンテナ線３１２が放送信号入力端子に直接接続されて放送信号を光信号に変換する構成に限らず、例えばアンテナ線３１２が接続されて所定の電気信号に変換するインターフェースを介して所定の電気信号を放送信号入力端子から入力して光信号に変換する構成とするなどしてもよい。また、変換する光信号としては、各放送信号毎に異なる波長の光信号に変換して波長により放送種別を認識できるようにする構成とするなどしてもよい。
【００４２】
ＣＡＴＶインターフェース装置３２０は、ケーブルテレビジョン（cable television：ＣＡＴＶ）から配信されるＣＡＴＶ信号を光信号に変換して出力する。このＣＡＴＶインターフェース装置３２０は、光電複合変換装置２３０と同様に図示しない絶縁性のケース体の一面に、光電複合変換装置２３０と同様に、光コネクタ２３６が間に位置する状態に電源端子受け金具２３４が臨む一対の電源端子挿入口２３３が設けられている。また、ケース体の例えば一面と反対側の面には、屋外から引き込まれたＣＡＴＶ線３２１である同軸ケーブルや光ファイバケーブルが接続可能に設けられ、配信されるＣＡＴＶ信号が入力される。
また、ケース体内には、ＣＡＴＶ信号入力端子に接続されたＣＡＴＶ信号変換部が配設されている。このＣＡＴＶ信号変換部は、電源端子受け金具２３４に接続されて光電複合変換装置２３０の通信制御回路部２３７と同様に制御用の低電圧の直流電力を取得可能となっている。そして、ＣＡＴＶ信号変換部は、例えば同軸ケーブルを介して入力されるアナログのＣＡＴＶ信号を所定の波長、例えば放送信号インターフェース装置３１０で変換する波長と同一の波長の光信号に変換したり、光ファイバケーブルを介して入力されるデジタルのＣＡＴＶ信号を同一の波長の光信号に変換したりする。この変換される光信号についても、ＣＡＴＶ信号が変換されたものである旨の情報などのヘッダ情報が付加される。なお、変換される光信号は、放送信号インターフェースと異なる波長に変換してよい。
さらに、ケース体内には、ＣＡＴＶ信号変換部および光コネクタ２３６に接続されたＷＤＭカプラが配設されている。同軸ケーブルからのＣＡＴＶ信号が変換された光信号と、光ファイバケーブルからのＣＡＴＶ信号が変換された光信号とを多重化して光コネクタ２３６へ出力する。
そして、ＣＡＴＶインターフェース装置３２０は、放送信号インターフェース装置３１０と同様に、同軸ケーブルや光ファイバケーブルなどが直接接続される構成に限らず、例えばＣＡＴＶ信号をインターフェースを介して所定の電気信号に変換しておき、この電気信号をＣＡＴＶ信号入力端子に入力させて光信号に変換する構成とするなどしてもよい。
【００４３】
電話インターフェース装置３３０は、電話回線網からの電話信号を光信号に変換するとともに、所定の光信号を電話信号に変換する。この電話インターフェース装置３３０は、同様、一面に光コネクタ２３６が間に位置する状態に電源端子受け金具２３４がそれぞれ臨む一対の電源端子挿入口２３３が開口形成された図示しない絶縁性のケース体を有している。そして、ケース体の例えば一面と反対側の面には、屋外から引き込まれる電話線３３１が接続可能に設けられ、電話線３３１から電話信号が入力されるとともに電話線３３１へ電話信号を出力する電話信号入出力端子が設けられている。また、ケース体内には、通信制御回路部と、電話信号変換部と、ＷＤＭカプラと、が配設されている。
通信制御回路部は、電話信号入出力端子に接続された通信制御回路部が設けられている。この通信制御回路部は、電源端子受け金具２３４に接続されて光電複合変換装置２３０の通信制御回路部２３７と同様に制御用の低電圧の直流電力を取得可能となっている。そして、通信制御回路部は、電話信号入出力端子および電話信号変換部に接続され、電話信号入出力端子から電話信号を取得して適宜処理し電話信号変換部に出力するとともに、電話信号変換部から入力される信号を電話回線網に対応した電話信号に適宜変換して電話信号入出力端子へ出力する。
電話信号変換部は、ケース体内に配設され、通信制御回路部およびＷＤＭカプラに接続されている。この電話信号変換部は、通信制御回路部から出力される電話信号を、例えば放送信号インターフェース装置３１０やＣＡＴＶインターフェース装置３２０と同一の波長でヘッド情報が付加された光信号に変換するＴ／Ｏ変換部と、ＷＤＭカプラから出力される光信号を電気的な電話信号に変換するＯ／Ｔ変換部とを備えている。ここで、電話信号から変換する光信号の波長は、電話信号へ変換する光信号の波長と異なる。なお、電話信号変換部は、放送信号インターフェース装置３１０やＣＡＴＶインターフェース装置３２０と異なる波長の光信号に変換してもよい。
ＷＤＭカプラは、図示しない光ファイバを介して電話信号変換部から出力される電話信号の光信号と、光コネクタ２３６から入力される光信号とを多重化し、双方向通信可能としている。
そして、電話インターフェース装置３３０は、放送信号インターフェース装置３１０やＣＡＴＶインターフェース装置３２０と同様に、電話線が直接接続される構成に限らず、例えば電話信号をインターフェースを介して所定の電気信号に変換しておき、この電気信号を電話信号入出力端子に入力させて光信号に変換する構成とするなどしてもよい。
【００４４】
ＮＷインターフェース装置３４０は、例えばインターネットなどのネットワーク（network：ＮＷ）に各種ネットワーク信号を送受信するための図示しないターミナル装置に各種ＬＡＮケーブル３４１などを介して接続され、ネットワークからのネットワーク信号を光信号に変換するとともに、所定の光信号をネットワーク信号に変換する。このＮＷインターフェース装置３４０は、同様に、一面に光コネクタ２３６が間に位置する状態に電源端子受け金具２３４がそれぞれ臨む一対の電源端子挿入口２３３が開口形成された図示しない絶縁性のケース体を有している。そして、ケース体の例えば一面と反対側の面には、ターミナル装置からのＬＡＮケーブル３４１などが接続可能に設けられ、ＬＡＮケーブル３４１などからネットワーク信号が入力されるとともに、ＬＡＮケーブル３４１などへネットワーク信号を出力するＮＷ信号入出力端子が設けられている。また、ケース体内には、通信制御回路部と、ＮＷ信号変換部と、ＷＤＭカプラと、が配設されている。
通信制御回路部は、光電複合変換装置２３０と同様に、電源端子受け金具２３４に電源線を介して接続されて制御用の低電圧の直流電力を取得可能となっている。この通信制御回路部は、ＮＷ信号入出力端子およびＮＷ信号変換部に接続され、ＮＷ信号入出力端子からＮＷ信号を取得して適宜処理しＮＷ信号変換部に出力するとともに、ＮＷ信号変換部から入力されるＮＷ信号を適宜処理してＮＷ信号入出力端子へ出力する。
ＮＷ信号変換部は、ケース体内に配設され、通信制御回路部およびＷＤＭカプラに接続されている。このＮＷ信号変換部は、通信制御回路部から出力される電気信号を、例えば放送信号インターフェース装置３１０やＣＡＴＶインターフェース装置３２０、電話インターフェース装置３３０と同一の波長でヘッド情報が付加された光信号に変換するＩ／Ｏ変換部と、ＷＤＭプラグから出力される光信号をＮＷ信号に変換するＯ／Ｉ変換部と、を備えている。このＮＷ信号変換部は、電話信号変換部と同様に、ＮＷ信号から変換する光信号の波長をＮＷ信号へ変換する光信号の波長と異なる状態に変換する。なお、ＮＷ信号変換部は、放送信号インターフェース装置３１０やＣＡＴＶインターフェース装置３２０などと異なる波長の光信号に変換してもよい。
ＷＤＭカプラは、図示しない光ファイバを介してＮＷ信号変換部から出力されるＮＷ信号の光信号と、光コネクタ２３６から入力される光信号とを多重化し、双方向通信可能としている。
【００４５】
光電複合分岐装置４００は、例えば図４および図５に示すように、情報分電装置２００の光電複合変換装置２３０と同様に絶縁性の合成樹脂にて略矩形状に形成された分岐ケース体４１０を有している。この分岐ケース体４１０には、光電複合変換装置２３０と同様に、電源端子受け金具２３４が臨む対をなす電源端子挿入口２３３が複数対、例えば３面にそれぞれ一対ずつ設けられている。なお、３面に限らず１面のみあるいは複数の面でもよく、また１面に複数対設けてもよい。そして、各電源端子受け金具２３４は、分岐ケース体４１０内に配線された電源線４１１によりそれぞれ接続されている。さらに、分岐ケース体４１０には、光電複合変換装置２３０と同様に、対をなす電源端子挿入口２３３の間に位置して光コネクタ２３６がそれぞれ設けられている。
また、分岐ケース体４１０内には、広帯域分岐カプラ４２０が配設されている。この広帯域分岐カプラ４２０は、光コネクタ２３６にそれぞれ接続され、いずれかの光コネクタ２３６から入力される光信号を他の光コネクタ２３６に分岐する。
【００４６】
光電複合コンセント５００は、例えば図６および図７に示すように、光電複合分岐装置４００と同様に絶縁性の合成樹脂にて略矩形状に形成されたコンセントボックス５１０を有している。このコンセントボックス５１０には、光電複合分岐装置４００と同様に、電源端子受け金具２３４が臨む対をなす電源端子挿入口２３３が複数対、例えば一面に一対、この一面に連続する面となる正面５１１に３対設けられている。なお、２面に限らず、複数面に設けたり、それぞれの面に複数設けるなど、適宜設定できる。そして、各電源端子受け金具２３４は、コンセントボックス５１０内に配設された電源線５１２によりそれぞれ接続されている。さらに、コンセントボックス５１０には、光電複合分岐装置４００と同様に、対をなす電源端子挿入口２３３の間に位置して光コネクタ２３６がそれぞれ設けられている。
また、コンセントボックス５１０内には、広帯域多分岐カプラ５２０が配設されている。この広帯域多分岐カプラ５２０は、光コネクタ２３６にそれぞれ接続され、いずれかの光コネクタ２３６から入力される光信号を他の光コネクタ２３６にそれぞれ分岐する。
【００４７】
光電複合接続ケーブル６００は、情報分電装置２００の光電複合変換装置２３０と光電複合分岐装置４００、光電複合コンセント５００および各種インターフェース装置３００との間、光電複合分岐装置４００間、光電複合分岐装置４００と光電複合コンセント５００および各種インターフェース装置３００との間などを接続する。この光電複合接続ケーブル６００は、例えば図８に示すように、ケーブル部６１０と、このケーブル部６１０の両端に一体的に設けられた光電複合プラグ部６２０と、を備えている。
ケーブル部６１０は、光ファイバ６１１と、電源線６１２とが同軸状に設けられ被覆部材６１３にて被覆されている。光電複合プラグ部６２０には、絶縁性の合成樹脂材料にてケーブル部６１０の端部に一体に形成され、一対の電源端子６２１が突設されている。これら電源端子６２１は、各種インターフェース装置３００、情報分電装置２００の光電複合変換装置２３０、光電複合分岐装置４００および光電複合コンセント５００に設けられた電源端子挿入口２３３間の距離と同距離で一対突設され、電源端子挿入口２３３に挿入されて電源端子受け金具２３４に接続可能に形成されている。また、光電複合プラグ部６２０には、電源端子６２１間に位置して光プラグ６２２が設けられている。この光プラグ６２２は、光フェルール６２３を有している。そして、光プラグ６２２は、電源端子６２１が電源端子挿入口２３３に挿入された際に、光コネクタ２３６に接続して光フェルール２３６Ｂ，６２３が略当接して光信号を伝達可能となるように構成されている。
なお、これら光コネクタ２３６および光プラグ６２２の構成については、従来のいずれの構成を利用できる。例えば、光プラグ６２２の光フェルール６２３を覆う進退可能な保護部材を設け、光プラグ６２２が光コネクタ２３６に接続する際に保護部材が相対的に移動して光フェルール２３６Ｂ，６２３が略当接するなどの構成を利用することができる。
【００４８】
そして、家屋１０１の例えば外部から屋内に引き込まれる位置に設置された情報分電装置２００の各光電複合変換装置２３０に光電複合接続ケーブル６００の一端が接続され、各光電複合接続ケーブル６００が家屋１０１の壁内や天井、床下などに配線される。この配線された光電複合接続ケーブル６００の他端に光電複合分岐装置４００が接続され、さらに光電複合分岐装置４００にそれぞれ光電複合接続ケーブル６００が接続されて枝分かれ状に光電複合接続ケーブル６００が配線され、配線先に光電複合コンセント５００や各種インターフェース装置３００が接続され、図１に示すように、光電複合通信システム１００が屋内に設置される。なお、各種インターフェース装置３００は、アンテナ線３１２やＣＡＴＶ線３２１、電話線３３１、ＬＡＮケーブル３４１などが引き込まれる位置などに設置され、これらインターフェース装置３００に光電複合接続ケーブル６００および光電複合分岐装置４００をつなぎ合わせて情報分電装置２００の光電複合変換装置２３０に接続される。また、光電複合コンセント５００は、コンセントボックス５１０の正面５１１が例えば家屋１０１の壁面などに臨んで壁内などに埋設され、同様に光電複合接続ケーブル６００および光電複合分岐装置４００をつなぎ合わせて情報分電装置２００の光電複合変換装置２３０に接続される。なお、これらの接続部分は、壁内、天井、床下などに配置されるので、各接続端子および接続部分などにカバーなどの塵埃防護手段を設けることが好ましい。
【００４９】
（光電複合通信システムの設置）
次に、上記光電複合通信システム１００の設置について説明する。
まず、あらかじめ主ブレーカ２１０、副ブレーカ２２０および光電複合変換装置２３０が組み付けられた情報分電装置２００を、家屋１０１の所定位置に設置し、主ブレーカ２１０に商用交流電源線２１１を接続する。また、家屋１０１の所定の位置に、各インターフェース装置３００および光電複合コンセント５００を適宜設置する。
そして、情報分電装置２００の光電複合変換装置２３０に光電複合接続ケーブル６００をそれぞれ接続し、この光電複合接続ケーブル６００の端部に光電複合分岐装置４００を接続して光電複合接続ケーブル６００を分岐しつつ、光電複合コンセント５００に接続する。さらに、各インターフェース装置３００を近接する光電複合コンセント５００に光電複合接続ケーブル６００にて接続し、家屋１０１に光電複合通信システム１００を構築する。
【００５０】
ここで、上述したように、情報分電装置２００の光電複合変換装置２３０、各インターフェース装置３００、光電複合分岐装置４００および光電複合コンセント５００における各電源端子挿入口２３３および光コネクタ２３６の形状および配置位置が共通である。このことから、光電複合接続ケーブル６００の電源端子６２１を電源端子挿入口２３３に挿入して電源端子受け金具２３４に接続させるとともに、光電複合接続ケーブル６００の光プラグ６２２を光コネクタ２３６に接続して光フェルール２３６Ｂ，６２３を略当接させて光信号を伝達可能とする。
これら光電複合接続ケーブル６００の接続により、情報分電装置２００に供給される商用交流電源が光電複合コンセント５００の電源端子受け金具２３４に供給されるとともに、各インターフェース装置３００で取得した各種信号を情報分電装置２００に集約してから光電複合コンセント５００の光コネクタ２３６に供給される。
【００５１】
（光電複合通信システムの動作）
次に、上記光電複合通信システム１００の動作について説明する。
まず、テレビやラジオなどの受信装置や冷蔵庫や掃除機などの電気機器、電話機、コンピュータなどの電源の供給により動作する図示しない端末装置に設けられた電源コードを光電複合コンセント５００に接続する。そして、端末装置の電源コードのプラグが光電複合接続ケーブル６００の光電複合プラグ部６２０と同一構造であれば、端末装置に商用交流電源が供給されるとともに、光電複合コンセント５００の光コネクタ２３６とにて光信号の送受信が可能となる。また、端末装置の電源コードが一般的な一対の電源端子６２１のみを備えた構成の場合には、商用交流電源のみが供給される。この端末装置では、光電複合通信システム１００を利用して光信号の送受信を実施する場合、例えば電源コードが接続されない位置の光コネクタ２３６に端末装置に設けられた光通信用のケーブル線を接続する。
【００５２】
なお、端末装置の電源コードが一般的な構成の場合、例えば図９に示すような変換プラグ６５０を用い、この変換プラグ６５０を光電複合コンセント５００に接続してもよい。この変換プラグ６５０は、電源端子受け金具２３４が臨む対をなす電源端子挿入口２３３と、光コネクタ２３６と同一直線状に位置しないように変位して設けている。すなわち、一般的な電気機器の電源コードのプラグを電源端子挿入口２３３に挿入可能とするとともに、光コネクタ２３６に光通信用のケーブル線を接続可能な位置関係とする。また、変換プラグ６５０の他の面には、情報分電装置２００の光電複合変換装置２３０などの各電源端子挿入口２３３および光コネクタ２３６の形状および配置位置に対応して、光電複合接続ケーブル６００の光電複合プラグ部６２０と同様に一対の電源端子６２１間に光プラグ６２２が配設されている。
そして、光コネクタ２３６および光プラグ６２２が光ファイバ６５１で接続されるとともに、電源端子受け金具２３４および電源端子６２１がそれぞれ電源線６５２にて接続されている。このことにより、一般的な電源コードおよび光通信用のケーブル線を備えた端末装置でも、変換プラグ６５０を利用することで、光電複合通信システム１００にて商用交流電源が供給されるとともに光信号による送受信が可能となる。
【００５３】
（光電複合通信システムの作用効果）
上述したように、上記第１の実施の形態では、電源線６１２および光ファイバ６１１を略同軸上に設けた光電複合接続ケーブル６００のケーブル部６１０の両端に設けた光電複合プラグ部６２０に、電源線６１２に通電可能に接続された電源端子６２１および光ファイバ６１１に光信号が伝送可能に接続された光プラグ６２２を設ける。そして、広帯域分岐カプラ４２０や広帯域多分岐カプラ５２０にて光信号を他の光コネクタ２３６に分岐する光電複合分岐装置４００や光電複合コンセント５００、電気信号を光電変換部にて所定の波長の光信号に変換する各種インターフェース装置３００、電力が供給され光信号を電気信号に変換および電気信号を光信号に変換する光電複合変換装置２３０に、光電複合接続ケーブル６００の電源端子６２１が着脱可能な電気的に接続する電源端子受け金具２３４が臨む電源端子挿入口２３３および光プラグ６２２が着脱可能に接続される光コネクタ２３６をそれぞれ設けている。このため、光電複合接続ケーブル６００が光電複合分岐装置４００や光電複合コンセント５００、各種インターフェース装置３００および光電複合変換装置２３０のいずれにも接続でき、電力を供給するとともに光信号の送受信が得られる光電複合通信システム１００が容易に構築できるとともに、分岐増設や縮小化が光電複合接続ケーブルの着脱により容易にでき、光電複合通信システム１００の構成変更が容易にできる。
また、光電複合分岐装置４００や光電複合コンセント５００により、光電複合変換装置２３０に光電複合接続ケーブル６００が枝分かれ状に接続されて電力の供給および光信号の送受信を可能とするネットワーク構成が構築されるので、従来のスター型の構成に比して情報分電装置２００から導出する光電複合接続ケーブル６００の本数が減少し、光電複合通信システム１００の設置作業性が向上し、容易に構築できるとともに、光電複合接続ケーブル６００の利用数の減少に伴うコストの低減が容易に図れる。
【００５４】
そして、光電複合接続ケーブル６００の光電複合プラグ部６２０の電源端子６２１の構成を、商用交流電源が供給される一般的な電源コンセントに接続可能な互換形状の対をなす構成と、光電複合接続ケーブル６００が接続される光電複合分岐装置４００や光電複合コンセント５００、各種インターフェース装置３００、光電複合変換装置２３０の電源端子受け金具２３４を電源コンセントと互換形状の一対の電源端子挿入口２３３に臨む対をなす構成としている。
このため、１種類の光電複合接続ケーブル６００でネットワーク構築できる光電複合通信システム１００に、単に電力供給のために電気機器の電源コードを接続させたり、信号の送受信のために電気機器の光プラグ６２２を接続させたりするのみにも対応でき、汎用性を向上できる。
【００５５】
また、光電複合接続ケーブル６００の対をなす一対の電源端子６２１間に光プラグ６２２が位置する状態に配設して光電複合接続ケーブル６００の光電複合プラグ部６２０を構成し、光電複合分岐装置４００や光電複合コンセント５００、各種インターフェース装置３００、光電複合変換装置２３０の各対をなす電源端子受け金具２３４間に光コネクタ２３６を配設している。
このため、別途保護するための特別な構成を用いなくても、光プラグ６２２が電源端子６２１にて保護されて損傷を防止できる構成が容易に得られ、また保護するための構成の簡略化を容易に図ることもでき、光電複合接続ケーブル６００の構成の簡略化が図れ、製造性の向上、コストの低減、および、小型軽量化が容易に得られる。さらには、光電複合接続ケーブル６００の接続の際、電源端子６２１が電源端子受け金具２３４に接続する時に光プラグ６２２の光コネクタ２３６との接続が案内され、接続作業も容易となり、光電複合通信システム１００の構築や変更が容易にできる。
【００５６】
そして、商用交流電源が供給され分電する情報分電装置２００の光電複合変換装置２３０の電源線接続ターミナル２３２に、主ブレーカ２１０および副ブレーカ２２０を介して商用交流電源を供給させる。
このため、接続不良や各構成部位の損傷、接続する電気機器の損傷などにより、供給する電力の漏洩や短絡などが生じても、主ブレーカ２１０あるいは副ブレーカ２２０にて電力供給が遮断されるので、良好な電力供給を容易に得ることができる。
【００５７】
また、光信号を電気信号に変換してバス接続された複数の光電複合変換装置２３０を主ブレーカ２１０および副ブレーカ２２０とともに一体的に情報分電容器２０１に収容して情報分電装置２００を構成している。
このため、各種インターフェース装置３００からの電気信号が変換された光信号を集約し、光電複合分岐装置４００や光電複合コンセント５００にて適宜分割・多重しつつ、商用交流電源を接続する電気機器に供給するとともに送受信させるための情報分電装置２００の構成が一体化して、光電複合通信システム１００を設置する作業が容易となり、容易に構築できる。
【００５８】
さらに、光電複合コンセント５００として、光電複合接続ケーブル６００が接続される構成と同様に、電気機器の電源コードが接続される構成、すなわち電源端子受け金具２３４を電源端子挿入口２３３に臨む対をなす構成としている。
このため、電力を供給するとともに光信号を適宜分岐・多重する構成として電気機器を接続できる構成と共通化させることができ、構成の簡略化ができ、光電複合通信システム１００の構築が容易にできるとともに、光電複合分岐装置４００および光電複合コンセント５００の製造性の向上およびコストの低減も容易に図れる。
【００５９】
そして、インターフェース装置３００として、アンテナにて取得する放送信号を光信号に変換する放送信号インターフェース装置３１０、ＣＡＴＶから取得するＣＡＴＶ信号を光信号に変換するＣＡＴＶインターフェース装置３２０、電話回線網に対応する電話信号を光信号と相互に変換する電話インターフェース装置３３０、および、インターネットやＬＡＮなどのネットワークに対応するネットワーク信号を光信号と相互に変換するＮＷインターフェース装置３４０などを用い、放送信号、ＣＡＴＶ信号、電話信号およびＮＷ信号で異なる光信号である旨のアドレス情報なとを付与した光信号に変換される。このため、電力を供給するとともに信号を送受信可能とする光電複合通信システム１００として、各種信号を確実に送受信したい端末へ送受信させることが容易にできる。
【００６０】
また、端末装置の電源コードが電源コンセントに接続する互換形状の一般的な構成の場合には、例えば図９に示す変換プラグ６５０を用いる。すなわち、一面に電源コンセントと同一の電源端子受け金具２３４が臨む一対の電源端子挿入口２３３と光コネクタ２３６とを異なる位置に設け、他面に光電複合接続ケーブル６００の光電複合プラグ部６２０の構成である光プラグ６２２が間に位置する一対の電源端子６２１を設け、それぞれを接続させて変換プラグ６５０を構成する。このことにより、一般的な電源コードのものでも電力の受給および光信号の送受信が得ら、汎用性を向上できる。
さらには、光電複合接続ケーブル６００の電源端子６２１が電源コンセントに接続可能な互換形状としていることから、単に電力供給のみで光信号による送受信が不要な端末装置でも光電複合コンセント５００に接続することで電力供給されて動作することができ、汎用性をさらに向上できる。
【００６１】
〔第２の実施の形態〕
次に、本発明の第２の実施の形態における光電複合通信システムを図面に基づいて説明する。この第２の実施の形態は、上述した第１の実施の形態の構成において、光電複合コンセント５００に電気機器が接続された状態で電力が供給される構成としたものである。なお、本実施の形態についても家屋１０１に構築する構成に限らず、いずれのシステム構成としてもよい。
図１０は、本発明の光電複合通信システムにおける第２の実施の形態に係る概略構成を示す模式図である。図１１は、本実施の形態における光電複合通信システムを構成する情報分電装置の光電複合変換装置についての概略構成を示す模式図である。図１２は、本実施の形態における光電複合変換装置を示す側面図である。図１３は、本実施の形態における光電複合通信システムを構成する光電複合分岐装置についての概略構成を示す模式図である。図１４は、本実施の形態における光電複合分岐装置を示す側面図である。図１５は、本実施の形態における光電複合通信システムを構成する光電複合コンセントについての概略構成を示す模式図である。図１６は、本実施の形態における光電複合コンセントを示す正面図である。図１７は、本実施の形態における光電複合通信システムを構成する光電複合接続ケーブルについての概略構成を示す模式図である。
なお、第１の実施の形態の構成と同一の構成については同一の符号を付して説明を省略する。
【００６２】
（光電複合通信システムの構成）
図１０において、７００は光電複合通信システムで、この光電複合通信システム７００は、第１の実施の形態における光電複合通信システム１００に接続状態検出手段８００を設けた構成である。すなわち、光電複合コンセント５００に電気機器が接続された状態で接続状態検出手段８００により電力を供給する構成としたものである。
この光電複合通信システム７００は、情報分電装置７１０と、図示しない各種インターフェース装置と、光電複合分岐装置７２０と、光電複合分岐装置としての光電複合コンセント７３０と、光電複合接続ケーブル７４０と、を備えている。なお、図１０は、説明の都合上、各種インターフェース装置３００の接続状態を省略して示す。
【００６３】
情報分電装置７１０は、第１の実施の形態の情報分電装置２００と同様に、情報分電容器２０１内に主ブレーカ２１０および副ブレーカ２２０が収容されているとともに、接続状態検出手段８００を構成する検出電圧印加部としてのコンバータ８０１および遮断手段としてのリレー回路８０２と、光電複合変換装置７１１と、が一体的に収容されている。これらコンバータ８０１およびリレー回路８０２により、本発明の電力通電・遮断手段が構成される。
コンバータ８０１は、主ブレーカ２１０に電源線２１２を介して副ブレーカ２２０に並列に接続され、商用交流電源が供給される。このコンバータ８０１は、商用交流電源を低電圧の直流電源に順変換する。
リレー回路８０２は、各副ブレーカ２２０に電源線２２１を介して直列に接続されている。さらに、リレー回路８０２には、光電複合変換装置７１１が直列に接続されている。そして、リレー回路８０２は、所定の信号が入力されることにより閉成して副ブレーカ２２０から光電複合変換装置７１１への商用交流電源を供給させる。
【００６４】
光電複合変換装置７１１は、図１１および図１２に示すように、光電複合変換装置２３０の構成に、接続状態検出手段８００を構成する検出部８１０を設けた構成である。具体的には、このケース体２３１の電源線接続ターミナル２３２が設けられた一外面に、電源線接続ターミナル２３２と同一構造の一対の検出部ターミナル８１１が設けられている。すなわち、検出部ターミナル８１１は、ケース体２３１の外面に一連に突設した台座８１１Ａに、導電性のねじ２３２Ｂが螺着される図示しない導電性の金属板が設けられている。そして、一対の検出部ターミナル８１１は、いずれか一方がコンバータ８０１に接続され、直流電源が供給される。さらに、いずれか他方の検出部ターミナル８１１はリレー回路８０２に接続され、コンバータ８０１から供給される直流電源電圧が検出部ターミナル８１１からリレー回路８０２に印加されることにより、リレー回路８０２が閉成して副ブレーカ２００から光電複合変換装置７１１へ商用交流電源を供給する状態となる。
また、ケース体２３１の電源端子挿入口２３３が設けられた面には、電源端子挿入口２３３を囲むように平面視で略楕円形状に端子挿入口８１２が開口形成されている。そして、ケース体２３１には、端子挿入口８１２の長手方向に位置して一対の端子受け金具８１３が配設されている。これら端子受け金具８１３は、検出部ターミナル８１１と例えばケース体２３１内に配線されたリード線８１４にて通電可能にそれぞれ接続されている。
【００６５】
各種インターフェース装置は、第１の実施の形態と同様に、図示しない、放送信号インターフェース装置、ＣＡＴＶインターフェース装置、電話インターフェース装置およびＮＷインターフェース装置などが利用される。これらインターフェース装置には、第１の実施の形態の構成に、光電複合変換装置７１１に設けられた検出部８１０と同様に、端子挿入口８１２が電源端子挿入口２３３を囲むように設けられている。なお、各インターフェース装置の端子挿入口８１２に臨む一対の端子受け金具８１３は、リード線などにて互いに接続されている。
【００６６】
光電複合分岐装置７２０は、図１３および図１４に示すように、第１の実施の形態の光電複合分岐装置４００に接続状態検出手段８００を構成する延長部８２０が設けられている。具体的には、分岐ケース体４１０には、電源端子挿入口２３３が設けられた面に、光電複合変換装置７１１および各種インターフェース装置と同様に、各電源端子挿入口２３３を囲むように平面視で略楕円形状の端子挿入口８１２および端子挿入口８１２に臨む一対の端子受け金具８１３がそれぞれ設けられている。そして、各端子受け金具８１３は、分岐ケース体４１０内に配線されたリード線８１４により、各端子挿入口８１２に対応してそれぞれ接続されている。
【００６７】
光電複合コンセント７３０は、図１５および図１６に示すように、第１の実施の形態の光電複合コンセント５００に、光電複合分岐装置７２０と同様の延長部８２０が、同様に電源端子挿入口２３３を囲む状態に端子挿入口８１２がそれぞれ設けられている。そして、各端子挿入口８１２に臨んで設けられた一対の端子受け金具８１３が、光電複合分岐装置７２０と同様に、コンセントボックス５１０内に配線されたリード線８１４により、各端子挿入口８１２に対応してそれぞれ接続されている。
【００６８】
光電複合接続ケーブル７４０は、図１７に示すように、第１の実施の形態の光電複合接続ケーブル６００に接続状態検出手段８００を構成する連結部８３０が設けられている。具体的には、ケーブル部６１０に光ファイバ６１１および電源線６１２とともに略同軸上にリード線８３１を設けている。そして、光電複合プラグ部６２０には、一対の電源端子６２１を囲むように、円弧状の一対の接続端子８３２がそれぞれ設けられている。これら接続端子８３２は、略楕円形状の端子挿入口８１２に挿入して端子受け金具８１３に接続可能に、一対で略楕円形状を構成するように形成されている。そして、各接続端子８３２は、リード線８３１にそれぞれ接続されている。
【００６９】
（光電複合通信システムの設置）
次に、上記光電複合通信システム７００の設置動作について説明する。
まず、第１の実施の形態と同様に、情報分電装置７１０を家屋１０１の所定位置に設置して主ブレーカ２１０に商用交流電源線２１１を接続する。また、家屋１０１の所定の位置に、各インターフェース装置および光電複合コンセント７３０を適宜設置する。
そして、情報分電装置７１０の光電複合変換装置７１１に光電複合接続ケーブル７４０をそれぞれ接続し、この光電複合接続ケーブル７４０の端部に光電複合分岐装置７２０を接続して光電複合接続ケーブル７４０を分岐しつつ、光電複合コンセント７３０に接続する。さらに、各インターフェース装置を近接する光電複合コンセント７３０に光電複合接続ケーブル７４０にて接続し、家屋１０１に光電複合通信システム７００を構築する。
【００７０】
ここで、情報分電装置７１０の光電複合変換装置７１１、各インターフェース装置、光電複合分岐装置７２０および光電複合コンセント７３０における各電源端子挿入口２３３、光コネクタ２３６および端子挿入口８１２の形状および配置位置が共通である。このことから、光電複合接続ケーブル７４０の電源端子６２１を電源端子挿入口２３３に挿入して電源端子受け金具２３４に接続しつつ、接続端子８３２を端子挿入口８１２に挿入して端子受け金具８１３に接続させるとともに、光電複合接続ケーブル７４０の光プラグ６２２を光コネクタ２３６に接続させて光信号を伝達可能とする。
これら光電複合接続ケーブル７４０の接続により、インターフェース装置の端子受け金具８１３は互いに接続された状態となることから、光電複合接続ケーブル７４０や光電複合分岐装置７２０を介して光電複合変換装置７１１の検出部ターミナル８１１間が短絡した状態となる。このことにより、コンバータ８０１から供給される直流電源がリレー回路８０２に供給され、リレー回路８０２が閉成し、副ブレーカ２２０から光電複合変換装置７１１へ商用交流電源が供給される。このことにより、商用交流電源が供給された光電複合変換装置７１１は、光電複合接続ケーブル７４０や光電複合分岐装置７２０を介してインターフェース装置に商用交流電源を供給する。そして、商用交流電源が供給されるインターフェース装置は、商用交流電源から制御用の低電圧の直流電力を取得し、各種信号を光信号に相互に変換制御可能とし、光信号は情報分電装置７１０に集約される。
また、光電複合コンセント７３０は、端子受け金具８１３間が開放した状態であることから、インターフェース装置が接続されない系の光電複合変換装置７１１の検出部ターミナル８１１間は開放状態となっている。このため、リレー回路８０２にはコンバータ８０１からの直流電源が供給されず、開放状態を維持する。このことにより、副ブレーカ２２０から光電複合変換装置７１１には商用交流電源が供給されず、インターフェース装置が接続されない系に接続する光電複合コンセント７３０の電源端子受け金具２３４には商用交流電源が供給されない。このことにより、電源を必要とする機器などが接続されない系に無用に商用交流電源が供給されない状態となり、例えば各部位の損傷や接続不良などによる漏電や短絡などの不都合を防止できる。
【００７１】
（光電複合通信システムの動作）
次に、上記光電複合通信システム７００の動作について説明する。
まず、電源の供給により動作する図示しない端末装置の電源コードを光電複合コンセント７３０に接続する。なお、この端末装置の電源コードのプラグには、光電複合接続ケーブル７４０の一対の接続端子８３２と同様の接続端子８３２が設けられている。そして、これら接続端子８３２は、インターフェース装置の端子受け金具８１３と同様に、リード線などにて互いに接続されている。なお、端末装置の電源コードが一般的な構成など、互いに接続する一対の接続端子８３２を有しない構成の場合には、例えば図９に示す変換プラグ６５０に互いに接続する一対の接続端子８３２を一対の電源端子６２１を囲むように設けた図示しない変換プラグなどを用いるとよい。
【００７２】
この端末装置の電源コードの接続により、互いに接続する接続端子８３２が光電複合コンセント７３０の端子受け金具２３４に接続して端子受け金具２３４を接続端子８３２にて短絡する。このことにより、各種インターフェース装置の接続の場合と同様に、光電複合接続ケーブル７４０や光電複合分岐装置７２０を介して光電複合変換装置７１１の検出部ターミナル８１１間が短絡した状態となる。このことにより、端末装置が接続された系の光電複合変換装置７１１の検出部ターミナル８１１からリレー回路８０２にコンバータ８０１からの直流電源が供給され、リレー回路８０２が閉成し、副ブレーカ２２０から光電複合変換装置７１１へ商用交流電源が供給され、光電複合接続ケーブル７４０や光電複合分岐装置７２０を介して光電複合コンセント７３０の電源端子受け金具２３４に商用交流電源が供給され、端末装置に供給される。
さらに、端末装置が接続された系における光電複合変換装置７１１に商用交流電源が供給されることにより、通信制御回路に電力が供給され、インターフェース装置から出力される光信号を取得し適宜電気信号に変換するとともに電気信号を光信号に変換する。そして、変換された光信号は、光電複合接続ケーブル７４０や光電複合分岐装置７２０を介して光電複合コンセント７３０の光コネクタに伝送され、端末装置へ出力される。また、端末装置から出力される光信号は、逆に光電複合変換装置７１１に入力され適宜電気信号に変換するとともに電気信号を光信号に変換し、インターフェース装置が接続する系の光電複合変換装置７１１からインターフェース装置へ出力され、外部と送受信可能となる。
【００７３】
（光電複合通信システムの作用効果）
上述したように、上記第２の実施の形態では、上記第１の実施の形態の作用効果に加え、以下に示すような作用効果をも奏する。
すなわち、電力の供給により動作する電気機器である端末装置の接続状態を検出する接続状態検出手段８００を設けている。
このため、上述したように、電源を必要とする端末装置が接続されない系に無用に商用交流電源が供給されない状態となり、例えば各部位の損傷や接続不良などによる漏電や短絡などの不都合を防止できる。特に、光電複合変換装置７１１を複数設け、各光電複合変換装置７１１の電気信号入出力端子２３５同士をバス接続した並列の構成であることから、各系毎に電力供給状態を簡単な構成で設定できる。
【００７４】
また、接続状態検出手段８００にて検出する接続状態として接続されていない状態では、副ブレーカ２２０および光電複合変換装置７１１間に直列に接続したリレー回路８０２にて光電複合変換装置７１１の電源線接続ターミナル２３２への商用交流電源の供給を遮断する。
このため、回路構成が簡単なリレー回路８０２を用いることで、確実に電力供給させる端末装置の非接続状態の系における不要な電力供給を防止できる。
【００７５】
さらに、光電複合接続ケーブル７４０の光電複合プラグ部６２０の一対の電源端子６２１が設けられた面に一対の接続端子８３２を設けるとともに、光電複合変換装置７１１、各種インターフェース装置、光電複合分岐装置７２０および光電複合コンセント７３０の電源端子受け金具２３４が臨む電源端子挿入口２３３が設けられた面に、接続端子が着脱可能に挿入されて接続されて電源端子受け金具２３４に接続する一対の端子受け金具８１３が設けられた端子挿入口８１２を設ける。また、端末装置の電源コードのプラグを光電複合接続ケーブル７４０の光電複合プラグ部６２０と同様の構成として一対の接続端子８３２を接続する。
このため、簡単な構成で単に端末装置の電源コードを接続するのみで電力を供給する端末装置の非接続状態における不要な電力供給の防止が容易にできる。
【００７６】
そして、端末装置の電源コードが電源コンセントに接続する互換形状の一般的な構成の場合には、例えば図９に示す変換プラグ６５０に互いに接続された一対の接続端子８３２を設けた変換プラグを用いる。このことにより、一般的な電源コードのものでも電力供給されて動作することができ、汎用性を向上できる。
【００７７】
また、端子挿入口８１２を楕円形形状とし、一対の接続端子８３２を円弧状に形成しているため、簡単な構成で比較的に高い強度が得られ、例えば肉厚に形成する必要がなくなり、構成の簡略化や小型軽量化、さらには製造性の向上、コストの低減が容易に図れる。
さらに、端子挿入口８１２を電源端子挿入口２３３を囲む状態に設け、接続端子８３２が電源端子６２１を囲む状態に設けている。このため、電源端子６２１が接続端子８３２に保護される状態となり、別途電源端子６２１を保護する構成を設ける必要がなく、構成の簡略化などが容易に図れる。
そしてさらには、接続状態を検出する構成として、低電圧の直流電源を供給する構成としているため、漏電による他の部位の損傷などをも防止できる。
【００７８】
〔他の実施の形態〕
なお、本発明の光電複合通信システムにおいて、上述した各実施の形態にのみ限定されるものではなく、本発明の要旨を逸脱しない範囲内において、種々変更を加え得ることは勿論である。
すなわち、家屋１０１に構築して商用交流電源を供給する構成について説明したが、供給する電力としては商用交流電源に限らず、直流電源、あるいは高電圧電源など、いずれの電源を供給する構成とすることができる。また、変換する電気信号としても、放送信号、ＣＡＴＶ信号、電話信号、ＮＷ信号に限らず、例えば製造装置の制御信号など、他のいずれの電気信号をも対象とし、いずれの組み合わせでもよい。さらには、いずれかの電気信号のみを対象としてもよい。
【００７９】
そして、光電複合変換装置２３０，７１１、各種インターフェース装置３００、光電複合分岐装置４００，７２０および光電複合コンセント５００，７３０に電源端子受け金具２３４が臨む一対の電源端子挿入口２３３を設け、光電複合接続ケーブル６００，７４０に一対の電源端子６２１を設けて接続する構成としたが、反対の構成としてもよい。具体的には、光電複合変換装置２３０，７１１、各種インターフェース装置３００、光電複合分岐装置４００，７２０および光電複合コンセント５００，７３０に、例えば図１８および図１９に示す光電複合分岐装置９１０のように一対の電源端子６２１を設け、光電複合接続ケーブル６００，７４０に例えば図２０に示す光電複合接続ケーブル９２０のように電源端子受け金具２３４が臨む一対の電源端子挿入口２３３を設けてもよい。さらには、一対の一方を電源端子６２１とし他方を電源端子受け金具２３４が臨む電源端子挿入口２３３としてもよい。この構成によれば、商用交流電源電流が流れる側と、アース側との接続方向を一定とすることができる。
また、光電複合変換装置２３０，７１１には、電源端子受け金具２３４が臨む一対の電源端子挿入口２３３を設け、光電複合変換装置２３０，７１１に接続される上流側を一対の電源端子６２１として、電力を供給する下流側を電源端子受け金具２３４が臨む一対の電源端子挿入口２３３を設ける複合型としてもよい。この構成では、電力を供給する側の端子部分が外部に露出せず、漏電や短絡などの不都合をより防止できるとともに、接続方向が明確となり、光電複合通信システム１００，７００の構築作業性がより向上できる。
【００８０】
そして、電源端子挿入口２３３および電源端子６２１として電源コンセントに互換形状としたが、いずれの形状とすることができる。
また、電源端子挿入口２３３間に光コネクタ２３６を位置させ、電源端子６２１間に光プラグ６２２を位置させて説明したが、いずれの位置関係としてもよい。
さらに、電源端子挿入口２３３を設けた側に光コネクタ２３６を設け、電源端子６２１を設けた側に光プラグ６２２を設けて説明したが、逆の構成としてもよい。
【００８１】
また、光コネクタ２３６は、例えば接続コート６００，７４０や端末装置の電源コードが接続された際に後退して電源端子６２１や接続端子８３２が確実に接続されるようにするとよい。
さらには、例えば図２１に示す光電複合分岐装置９３０のように、あらかじめ分岐ケースから端部が突出しないように構成するなどしてもよい。
【００８２】
さらに、光電複合変換装置２３０，７１１、各種インターフェース装置３００、光電複合分岐装置４００，７２０および光電複合コンセント５００，７３０を光電複合接続ケーブル６００，７４０にて接続して説明したが、例えば図２２に示す複合コンセント９４０に示すように、光電複合接続ケーブル６００，７４０の一端側が融合した一体型の構成で光電複合接続ケーブル６００，７４０が着脱可能ではない構成としてもよい。すなわち、図２２に示す複合コンセント９４０は、光電複合コンセントの光電複合変換装置２３０に接続される上流側の光コネクタ２３６および電源端子受け金具２３４に代えて、光電複合接続ケーブルの一端側である一端に光電複合プラグ部６２０を有したケーブル部６１０を接続する。そして、光ファイバ６１１を広帯域多分岐カプラ５２０に接続するとともに、電源線６１２を電源線５１２に接続させる。
この構成によれば、光電複合接続ケーブル６００，７４０を用いることなく一端の光電複合プラグ部６２０を上流側に順次接続していくのみでよく、光電複合通信システム１００，７００の構築作業性の向上が図れる。
【００８３】
また、第２の実施の形態において、インターフェース装置に設けた端子受け金具８１３をリード線などにて互いに接続して説明したが、例えばインターフェース装置のみが接続される系においては、端子受け金具８１３を互いに接続させず、光電複合変換装置７１１から商用交流電源を供給させないようにしてもよい。この場合には、インターフェース装置が電力を要求する場合、蓄電池などにて電力を確保するなどの構成とする。この構成によれば、インターフェース装置のみが接続される系における漏電や短絡などの不都合を防止できる。
なお、インターフェース装置のみが接続される系に端末装置が接続されると、端末装置のプラグにより接続状態検出手段８００が接続状態を検出して光電複合変換装置７１１から電力が供給されることとなる。
さらに、光電複合接続ケーブル７４０の接続端子８３２に代えて端子受け金具８１３が臨む端子挿入口８１２とし、光電複合変換装置７１１、インターフェース装置、光電複合分岐装置７２０および光電複合コンセント７３０の端子受け金具８１３が臨む端子挿入口８１２に代えて接続端子８３２とした逆の構成としてもよい。そしてさらには、一対のうちの一方が接続端子８３２で他方を端子受け金具８１３が臨む端子挿入口８１２としてもよい。この構成の場合には、商用交流電源が供給される側とアース側との接続方向や接続状態検出のための直流電源が供給される側と接続により直流電源電流が流れる側の接続方向を一定とすることができる。
【００８４】
また、接続状態検出手段として、各光電複合変換装置７１１内に図示しない光信号検出装置を設け、また光電複合コンセント７３０に接続される家電端末側に接続端子８１２から流れる直流電源で作動する図示しない光信号発信装置を設け、光信号検出手段が光信号を受信した場合、その受信された光信号検出装置につながるリレー回路８０２を閉成する構成としてもよい。
これは、家電端末が光複合コンセント７３０に接続されている場合では、家電端末に光発信信号装置に直流電源が供給され、その系につながる光電複合変換装置７１１にある光信号検出装置に光信号が発信される。この発信した光信号を光信号検出装置が受信した場合には、その系に主電源（交流電源）を送るためにリレー回路８０２が閉成される。逆に、家電端末がつながっていない系については、光信号を受信しないのでリレー回路８０２は開成したままである。
【００８５】
また、本発明では、光電複合変換装置と、ＷＤＭカプラを用いて説明したが、カプラを使用せず、送受信を２本のファイバで実施してもよい。
また、本発明の光電複合システムないで使用される光分岐手段として、送受信方向を分離する受動部品（サーキュレータ）、光の偏波分離を利用する方法を用いてよい。
【００８６】
さらには、上述したように、インターフェース装置３００としてインターフェースを用いて変換した電気信号を光信号に変換させる構成とする場合、インターフェース装置３００に代えて光電複合変換装置２３０を利用してもよい。この場合、電源線接続ターミナル２３２に電源線を接続しなければよく、好ましくは電源線接続ターミナル２３２を外部から接触不可能に絶縁処理するとよい。
【００８７】
その他、本発明の実施の際の具体的な構造および手順などは、本発明の目的を達成できる範囲で他の構成に変形、改良などの変更をするなどしてもよい。
【産業上の利用可能性】
【００８８】
本発明は、家屋１０１に構築して、商用交流電源を供給するとともに、放送信号、ＣＡＴＶ信号、電話信号およびＮＷ信号を光信号にて送受信可能とするホームネットワークに利用する構成の他、例えば集合住宅の各戸に商用交流電源を供給するとともに送受信可能とする地域ネットワークや、都市における商用交流電源の供給および送受信を可能とする地域ネットワーク、さらにはインターネットのように、地域ネットワーク同士をさらにネットワーク化したりすることもできる。また、供給する電源として、他のいずれの交流電源の他、直流電源を供給する構成などとすることもできる。さらには、送受信させる信号としては、例えば製造装置の制御信号などを対象とすることもできる。
【図面の簡単な説明】
【００８９】
【図１】本発明の第１の実施の形態における光電複合通信システムの概略構成を示す模式図である。
【図２】前記実施の形態における光電複合変換装置の概略構成を示す模式図である。
【図３】前記実施の形態における光電複合変換装置を示す側面図である。
【図４】前記実施の形態における光電複合分岐装置の概略構成を示す模式図である。
【図５】前記実施の形態における光電複合分岐装置を示す側面図である。
【図６】前記実施の形態における光電複合コンセントの概略構成を示す模式図である。
【図７】前記実施の形態における光電複合コンセントを示す正面図である。
【図８】前記実施の形態における光電複合接続ケーブルの概略構成を示す模式図である。
【図９】前記実施の形態における変換プラグを示す正面図である。
【図１０】本発明の第２の実施の形態における光電複合通信システムの概略構成を示す模式図である。
【図１１】前記実施の形態における光電複合変換装置の概略構成を示す模式図である。
【図１２】前記実施の形態における光電複合変換装置を示す側面図である。
【図１３】前記実施の形態における光電複合分岐装置の概略構成を示す模式図である。
【図１４】前記実施の形態における光電複合分岐装置を示す側面図である。
【図１５】前記実施の形態における光電複合コンセントの概略構成を示す模式図である。
【図１６】前記実施の形態における光電複合コンセントを示す正面図である。
【図１７】前記実施の形態における光電複合接続ケーブルの概略構成を示す模式図である。
【図１８】本発明のさらに他の実施の形態における光電複合分岐装置の概略構成を示す模式図である。
【図１９】前記実施の形態における光電複合分岐装置を示す側面図である。
【図２０】前記実施の形態における光電複合接続ケーブルの概略構成を示す模式図である。
【図２１】本発明のさらに他の実施の形態における光電複合分岐装置の概略構成を示す模式図である。
【図２２】本発明のさらに他の実施の形態における光電複合コンセントの概略構成を示す模式図である。
【符号の説明】
【００９０】
１００，７００…光電複合通信システム、２０１…容器である情報分電容器、２１０…漏洩遮断器としての主ブレーカ、２２０…漏洩遮断器としての副ブレーカ、２３０…光電複合変換装置、２３２…電源線接続ターミナル、２３４…電源端子ともなる電源端子受け部としての電源端子受け金具、２３５…電気信号入出力端子、２３６…光コネクタ、２３６Ｂ，６２３…光フェルール、２３８…光電変換部、３００…インターフェース装置、３１０…インターフェース装置である放送信号インターフェース装置、３２０…インターフェース装置であるＣＡＴＶインターフェース装置、３３０…インターフェース装置である電話インターフェース装置、３４０…インターフェース装置であるＮＷインターフェース装置、４００，７２０…光電複合分岐装置、４２０…分岐部としての広帯域分岐カプラ、５００，７３０…光電複合分岐装置としての光電複合コンセント、５２０…分岐部としての広帯域多分岐カプラ、６００，７４０…光電複合接続ケーブル、６１０…ケーブル部、６１１…光ファイバ、６１２…電源線、６２０…光電複合プラグ部、６２１…電源端子受け部ともなる電源端子、８００…接続状態検出手段、８０１…検出電圧印加部としてのコンバータ、８０２…遮断手段としてのリレー回路、８１３…接続端子ともなる端子受け部としての端子受け金具、８３２…端子受け部ともなる接続端子
【図１】
2005085568.tif 000003
【図２】
2005085568.tif 000004
【図３】
2005085568.tif 000005
【図４】
2005085568.tif 000006
【図５】
2005085568.tif 000007
【図６】
2005085568.tif 000008
【図７】
2005085568.tif 000009
【図８】
2005085568.tif 000010
【図９】
2005085568.tif 000011
【図１０】
2005085568.tif 000012
【図１１】
2005085568.tif 000013
【図１２】
2005085568.tif 000014
【図１３】
2005085568.tif 000015
【図１４】
2005085568.tif 000016
【図１５】
2005085568.tif 000017
【図１６】
2005085568.tif 000018
【図１７】
2005085568.tif 000019
【図１８】
2005085568.tif 000020
【図１９】
2005085568.tif 000021
【図２０】
2005085568.tif 000022
【図２１】
2005085568.tif 000023
【図２２】
2005085568.tif 000024